(57)【要約】【課題】空気調和機の移設時などに保護部材をすぐに使用できるようにする。【解決手段】熱交換器を内装したキャビネット１の外面に、熱交換器に接続された内部の配管と外部の配管とを接続するための配管接続部３が設けられる。配管接続部３を覆うカバー４が着脱可能にキャビネット１に設けられ、キャップ２４などの保護部材はカバー４に一体的に設けられる。カバー４がキャビネット１から外されると、キャップ２４をカバー４から外すことができる。キャップ２４は、配管接続部３のバルブに装着され、バルブの開口を塞ぐ。【選択図】図２
2017089929.tif 000002
【特許請求の範囲】
【請求項１】
熱交換器を内装したキャビネットの外面に、熱交換器に接続された内部の配管と外部の配管とを接続するための配管接続部が設けられた空気調和機であって、外部の配管が外された後に露出する配管接続部の開口を保護する保護部材がキャビネットに一体的に設けられたことを特徴とする空気調和機。
【請求項２】
保護部材の一部がキャビネットにつながり、保護部材の使用時、保護部材はキャビネットから離されることを特徴とする請求項１記載の空気調和機。
【請求項３】
配管接続部を覆うカバーが着脱可能にキャビネットに設けられ、保護部材はカバーに設けられることを特徴とする請求項１または２記載の空気調和機。
【請求項４】
配管接続部は、配管を接続するバルブを有し、保護部材は、バルブの開口を塞ぐことを特徴とする請求項１〜３のいずれかに記載の空気調和機。
【請求項５】
配管接続部は、複数の口径の異なるバルブを有し、キャビネットは、大きさの異なる複数の保護部材を備えたことを特徴とする請求項１〜４のいずれかに記載の空気調和機。
【発明の詳細な説明】
【技術分野】
【０００１】
本発明は、熱交換器を内装し、外部の配管が接続されたキャビネットを備えた空気調和機に関する。
【背景技術】
【０００２】
室内機と室外機とを有する空気調和機では、室外機と室内機が配管で接続され、冷媒が配管を通って室外機と室内機との間を循環する。室外機には、二方弁、三方弁といったバルブを有する配管接続部が設けられ、室外機内の熱交換器に接続された配管が配管接続部を介して室内機からの配管に接続される。工場から空気調和機が出荷されるとき、配管接続部のバルブの開口はフレアナットで塞がれている。空気調和機が設置されるとき、フレアナットが外され、外部の配管がバルブに接続される。このフレアナットは外部の配管に取り付けられる。そのため、フレアナットはバルブの開口を塞ぐためには再使用することができない。
【０００３】
空気調和機を移設するとき、室外機から外部の配管が外され、室外機が運ばれる。このとき、ごみや埃などがバルブに入らないように、バルブの開口を塞ぐ保護対策が施される。例えば、バルブに袋が被せられてテープで止められる。このような保護対策のために、袋などの部材を準備する必要がある。
【０００４】
そこで、特許文献１では、据付時や移設時に使用するフレアナット、弁蓋などの保護部材が室外機のキャビネットに保持されたり、配管接続部を覆うカバーに保持される。例えば、移設時などに使用する保護部材がカバーに保持されるとき、カバーに袋状の保持部が形成され、保持部に保護部材が収納される。この保護部材を使用するとき、ユーザは、室外機のキャビネットからカバーを外し、必要な保護部材を取り出す。
【先行技術文献】
【特許文献】
【０００５】
【特許文献１】特開２００９−２４９０３号公報
【発明の概要】
【発明が解決しようとする課題】
【０００６】
空気調和機が据え付けられるとき、保護部材はカバーなどに保持されたまま、室外機が運搬される。この運搬中に、振動などによって保護部材が保持部から落下すると、保護部材を紛失するおそれがある。また、ユーザがカバーを外したときに、保護部材がカバーから落ちると、ユーザは保護部材を探して拾い集めなければならず、作業が手間取る。
【０００７】
このように、保護部材をカバーに保持しておくだけでは、保護部材を必要なときにすぐに使用することができない。本発明は、上記に鑑み、移設時などに保護部材をすぐに使用することができる空気調和機の提供を目的とする。
【課題を解決するための手段】
【０００８】
本発明の空気調和機は、熱交換器を内装したキャビネットの外面に、熱交換器に接続された内部の配管と外部の配管とを接続するための配管接続部が設けられ、外部の配管が外された後に露出する配管接続部の開口を保護する保護部材がキャビネットに一体的に設けられる。
【０００９】
キャビネットに一体的に設けられた保護部材は常にキャビネットの近くにあり、保護部材が紛失することはない。そして、空気調和機の移設などによって保護部材が必要になったとき、すぐ保護部材を使用することができる。
【００１０】
保護部材の一部がキャビネットにつながり、保護部材の使用時、保護部材はキャビネットから離される。保護部材の不使用時、保護部材はキャビネットから外れない。保護部材が必要なとき、保護部材を作業するユーザの身近にすぐに持ってくることができる。
【００１１】
配管接続部を覆うカバーが着脱可能にキャビネットに設けられ、保護部材はカバーに設けられる。カバーがキャビネットから取り外されると、保護部材を取り出すことができる。
【発明の効果】
【００１２】
本発明によると、保護部材がキャビネットに一体的に設けられているので、保護部材を紛失することはない。ユーザが保護部材を必要とするときには、キャビネットにある保護部材をすぐに使用することができる。
【図面の簡単な説明】
【００１３】
【図１】本発明の空気調和機の室外機の斜視図
【図２】カバーを外した室外機の斜視図
【図３】カバーの内面側を示す図
【図４】カバーに設けられた保護部材を示す図
【図５】第２実施形態のキャップを示す図
【図６】第３実施形態の栓で塞がれたバルブの断面図
【発明を実施するための形態】
【００１４】
（第１実施形態）
本実施形態の空気調和機は、室外機と室内機とが配管により接続されて構成される。室外機は、圧縮機、四方弁、室外熱交換器、膨張弁、室外送風機を備える。室内機は、室内熱交換器、室内送風機を備える。
【００１５】
図１に示すように、室外機は、圧縮機、室外熱交換器、室外送風機などの部品が鋼板製のキャビネット１に内装されて構成される。キャビネット１の前面に排気口２が形成され、一方の側面（左側面）および背面に吸気口が形成される。他方の側面（右側面）には、キャビネット１内部の配管と室内機からの外部の配管を接続するための配管接続部３が設けられ、配管接続部３を覆うカバー４が設けられる。カバー４は、キャビネット１に着脱可能に取り付けられている。すなわち、カバー４は、キャビネット１の一部を構成するものである。
【００１６】
図２に示すように、配管接続部３は、外部の配管５を接続するための２つのバルブを備えている。一方のバルブは、液冷媒用の配管が接続される二方弁６であり、他方のバルブは、ガス冷媒用の配管が接続される三方弁７である。二方弁６および三方弁７は、キャビネット１の側面に固定された支持板８にねじにより取り付けられている。
【００１７】
二方弁６および三方弁７は、第１ポートおよび第２ポート１０を有し、各第１ポートは、室外機の内部に位置し、各第２ポート１０は、室外機の外部に位置し、第２ポート１０の開口が外部に露出している。二方弁６の第１ポートに、室外熱交換器に接続された配管がろう付けなどによって取り付けられる。二方弁６の第２ポート１０に、室内熱交換器からの一方の配管５がフレアナットを用いて接続される。三方弁７の第１ポートに、四方弁に接続された配管がろう付けなどによって取り付けられる。三方弁７の第２ポート１０に、室内熱交換器からの他方の配管５がフレアナットを用いて接続される。なお、三方弁７の口径は、二方弁６よりも大径とされる。
【００１８】
図２，３に示すように、合成樹脂製のカバー４は、下部が膨らんだ形状に形成され、カバー４の上部に取っ手２０が設けられ、下部に二方弁６および三方弁７を覆う覆い部２１が形成される。カバー４の周縁に複数のフック２２が形成され、キャビネット１の側面にスリット２３が形成され、フック２２がスリット２３に嵌め込まれて、カバー４がキャビネット１に取り付けられ、ねじによりカバー４がキャビネット１に固定される。
【００１９】
図３，４に示すように、カバー４に、外部の配管５が外された後に露出する配管接続部３の開口を保護する保護部材が一体的に設けられる。保護部材は、合成樹脂製のキャップ２４とされ、２つのキャップ２４がカバー４の覆い部２１の内面に設けられる。各キャップ２４は、有底の円筒状に形成され、射出成形あるいは３Ｄプリンタなどによりカバー４とともに一体形成される。キャップ２４の一部がカバー４の内面につながり、この部分が連結部２５とされる。二方弁６の第２ポート１０の開口を塞ぐためのキャップ２４は小径とされ、三方弁７の第２ポート１０の開口を塞ぐためのキャップ２４は大径とされる。
【００２０】
室外機が据え付けられたとき、外部の配管５が二方弁６および三方弁７にそれぞれ接続された後、カバー４がキャビネット１に取り付けられる。キャップ２４はカバー４の内面に保持されたままである。キャップ２４は覆い部２１内の空スペースに配置されるので、カバー４がキャビネット１に取り付けられたとき、バルブがキャップ２４に当たることはない。
【００２１】
空気調和機が移設されるとき、室外機のキャビネット１からカバー４が外される。外部の配管５が二方弁６および三方弁７からそれぞれ外されると、各バルブの開口が露出する。ユーザは、連結部２５を切断して、キャップ２４を外す。そして、ユーザは、キャップ２４を二方弁６の第２ポート１０および三方弁７の第２ポート１０にそれぞれ被せる。各バルブの露出した開口が塞がれる。室外機の搬送中、バルブの開口はキャップ２４によって保護される。ごみや埃がバルブ内に入ることを防止でき、異物の衝突によるバルブの開口の損傷も防げる。
【００２２】
ここで、キャップ２４がポリプロピレンなどの伸びやすい材料から形成される。キャップ２４を各バルブの第２ポート１０の外径よりも少し小さく形成することにより、キャップ２４はバルブに密着して、しっかり装着される。したがって、搬送中にキャップ２４が外れることはなく、確実にバルブを保護できる。
【００２３】
このように、キャップ２４をカバー４に一体的に形成することにより、必要なときにはすぐにキャップ２４を取り出して使用することができる。必要のないときには、キャップ２４はカバー４とともにあり、キャップ２４が紛失することはない。
【００２４】
（第２実施形態）
本実施形態の保護部材は、伸縮性を有する形状のキャップ２４とされる。図５（ａ）、（ｂ）に示すように、キャップ２４は、星型多角形をした形状とされ、有底の筒状に形成される。なお、その他の構成は、第１実施形態と同じである。
【００２５】
キャップ２４の外径は第２ポート１０の外径よりも小さくされるが、キャップ２４は円周方向に拡張可能である。カバー４から外された２つのキャップ２４は、各バルブに装着される。キャップ２４は円周方向に延びて、二方弁６および三方弁７の第２ポート１０にキャップ２４がそれぞれ被せられる。
【００２６】
キャップ２４の収縮力により、各バルブにキャップ２４が外れないように装着される。搬送中にキャップ２４が外れることを防止でき、確実にバルブを保護できる。また、キャップ２４が拡大するので、キャップ２４をバルブの開口の外径よりも小さくすることができ、キャップ２４を小型化できる。これにより、キャップ２４の設置スペースが小さくなり、カバー４におけるキャップ２４の設置可能な場所が増える。さらに、キャップ２４が伸縮するので、口径の小さいバルブや口径の大きいバルブに被せることができ、口径の異なるバルブに対して１種類のキャップ２４で対応することが可能となる。
【００２７】
（第３実施形態）
本実施形態の保護部材は、バルブの開口に挿入可能な栓３０とされる。図６に示すように、栓３０は、三方弁７などのバルブの開口に詰めるインサート部３１と、インサート部３１をバルブに保持するリング部３２とから構成される。栓３０は、エラストマーなどの軟質材料からなり、二色成形によりカバー４に一体的に形成される。インサート部３１は、開口に入りやすいようにテーパ状に形成されている。なお、その他の構成は、第１実施形態と同じである。なお、図中、３３は第１ポート、３４はサービスポート、３５は弁棒受入ポートである。
【００２８】
栓がカバー４から外され、三方弁７の第２ポート１０の開口に栓が詰められる。インサート部３１が開口に押し込まれると、リング部３２が押し広げられて、第２ポート１０の外周面のねじ山に食い込む。このように、栓３０はバルブから抜けないように保持され、バルブを保護することができる。
【００２９】
以上の通り、本発明の空気調和機は、熱交換器を内装したキャビネット１の外面に、熱交換器に接続された内部の配管と外部の配管５とを接続するための配管接続部３が設けられた空気調和機であって、外部の配管５が外された後に露出する配管接続部３の開口を保護する保護部材がキャビネット１に一体的に設けられたものである。これにより、保護部材が必要なときに、すぐに保護部材を使用することができる。
【００３０】
保護部材の一部がキャビネット１につながり、保護部材の使用時、保護部材はキャビネット１から離される。これにより、保護部材をキャビネット１の近くに置くことができ、必要なとき、すぐに保護部材を取り出すことができる。
【００３１】
配管接続部３を覆うカバー４が着脱可能にキャビネット１に設けられ、保護部材はカバー４に設けられる。これにより、配管接続部３の開口に近くに保護部材を配置することができ、この開口を保護するときに、カバー４をキャビネット１から外すだけで作業を行うことができる。
【００３２】
配管接続３部は、配管を接続するバルブを有し、保護部材は、バルブの開口を塞ぐ。これにより、バルブの開口から埃などの侵入を防止できる。また、配管接続部３は、複数の口径の異なるバルブを有し、キャビネット１は、大きさの異なる複数の保護部材を備える。これにより、複数の開口を確実に塞ぐことができる。
【００３３】
保護部材の一部がキャビネット１に連結され、保護部材の一部が切断されて、保護部材はキャビネット１から外される。これにより、保護部材が必要なときに、簡単かつ迅速に保護部材を取り出すことができる。また、保護部材は、伸縮性を有する。これにより、保護部材はバルブから外れず、バルブの開口をしっかりと保護できる。しかも、口径の異なるバルブに対して、１種類の保護部材で対応することが可能となる。
【００３４】
なお、本発明は、上記実施形態に限定されるものではなく、本発明の範囲内で上記実施形態に多くの修正および変更を加え得ることは勿論である。室内機において、室内熱交換器に接続された配管と室外機からの配管を接続するための配管接続部が設けられる。室内機の配管接続部は、室内熱交換器に接続された配管の先端に設けられたフランジ、ハーフユニオンなどの接続継手を有する。保護部材は、室内機のキャビネットに一体的に設けられる。保護部材がキャビネットから外されて、保護部材はこの接続継手の開口を塞いで保護する。
【００３５】
保護部材はキャビネットに直接設けてもよい。例えば、室外機のキャビネット１において、カバー４に覆われるキャビネット１の側面にキャップ２４などの保護部材が一体的に形成される。通常、保護部材はカバー４に覆われている。カバー４が外されると、保護部材を取り出すことができる。
【００３６】
連結部２５が紐のような長い線材あるいは伸縮可能な線材としてもよい。この場合、キャップ２４などの保護部材は、配線接続部３の近くに配置され、カバー４などのキャビネット１に引っ掛けられる、あるいは収納されるといったように、キャビネット１に直接保持される。ユーザが保護部材を取り出すと、連結部２５が延びて、保護部材は配管接続部３の開口の近くまで移動する。保護部材によって配管接続部３の開口を塞ぐことができる。保護部材が不要になれば、保護部材は元の位置に戻される。これにより、保護部材を繰り返し使用することができる。
【符号の説明】
【００３７】
１    キャビネット
３    配管接続部
４    カバー
５    外部の配管
６    二方弁
７    三方弁
１０    第２ポート
２１    覆い部
２４    キャップ
２５    連結部
３０    栓
【図１】
2017089929.tif 000003
【図２】
2017089929.tif 000004
【図３】
2017089929.tif 000005
【図４】
2017089929.tif 000006
【図５】
2017089929.tif 000007
【図６】
2017089929.tif 000008